(57)【要約】【課題】高精度と量産性を両立したスローアウェイチップおよびその研削方法を提供する【解決手段】本スローアウェイチップ１は、上面と側面とが交差する稜辺部のうち少なくとも１つの稜辺部に切刃５が形成され、前記切刃５から延びる上面にすくい面２が形成されるとともに前記切刃５から延びる側面に逃げ面４が形成され、さらに、少なくとも１つの側面には、前記切刃５を所定の位置に位置決めするための取付け基準面６ａ、６ｂが形成されている。前記上面及び前記下面の少なくとも一方の表面から陥没する凹部７Ａもしくは突出する凸部が形成され、前記凹部７Ａの内壁面もしくは前記凸部の外周面には、前記取付け基準面６ａ、６ｂを研削加工する際、前記研削加工の基準となる研削基準面７ａ、７ｂが形成されるようにした。【選択図】図１
2007130719.tif 000002
【特許請求の範囲】
【請求項１】
上面、下面および複数の側面からなり、前記上面と前記側面とが交差する稜辺部のうち少なくとも１つの稜辺部に切刃が形成され、前記切刃から延びる上面にすくい面が形成されるとともに前記切刃から延びる側面に逃げ面が形成され、さらに、少なくとも１つの側面には、前記切刃を所定の位置に位置決めするための取付け基準面が形成されてなるスローアウェイチップにおいて、
前記上面及び前記下面の少なくとも一方の表面から陥没する凹部もしくは突出する凸部が形成され、前記凹部の内壁面もしくは前記凸部の外周面には、前記取付け基準面を研削加工する際、前記研削加工の基準となる研削基準面が形成されていることを特徴とするスローアウェイチップ。
【請求項２】
前記切刃から延びる側面に形成された逃げ面の全て又は一部がプレス焼成された焼結面により構成されていることを特徴とする請求項１記載のスローアウェイチップ。
【請求項３】
前記凹部又は凸部が鉛直方向に延びる軸心をもつ回転対称形状、多角錐形状又は多角錐台形状又は多角柱形状、もしくは、水平方向に延在するとともに前記延在する方向に直交する断面で台形状、３角形状、矩形状、円弧状又は曲線状をなす凹溝又は突条のなかから選択された少なくとも１つの形状とされ、凹部の内壁面又は凸部の外周面が前記研削基準面とされていることを特徴とする請求項１又は２記載のスローアウェイチップ。
【請求項４】
前記切刃がねじ切り加工するためのねじ切刃を少なくとも１つ備えていることを特徴とする請求項１〜３のいずれか１項記載のスローアウェイチップ。
【請求項５】
上面、下面および側面を有し、前記上面と前記側面とが交差する稜辺部のうち少なくとも１つの稜辺部に切刃が形成され、前記切刃から延びる上面にすくい面が形成されるとともに前記切刃から延びる側面に逃げ面が形成され、さらに、少なくとも１つの側面には、前記切刃を所定の位置に位置決めするための取付け基準面が形成されてなるスローアウェイチップの研削方法において、
前記スローアウェイチップの上面又は下面の表面から陥没する凹部の内壁面、もしくは突出する凸部の外周面に形成された研削基準面を基準にして、前記取付け基準面を研削加工することを特徴とするスローアウェイチップの研削方法。
【請求項６】
上面、下面および側面を有し、前記上面と前記側面とが交差する稜辺部のうち少なくとも１つの稜辺部に切刃が形成され、前記切刃から延びる上面にすくい面が形成されるとともに前記切刃から延びる側面に逃げ面が形成され、さらに、少なくとも１つの側面には、前記切刃を所定の位置に位置決めするための取付け基準面が形成されてなるスローアウェイチップの研削方法において、
前記スローアウェイチップの上面又は下面の表面から陥没する凹部の内壁面、もしくは突出する凸部の外周面に形成された研削基準面を基準にして、前記取付け基準面を研削加工し、研削加工された前記取付け基準面を基準にして、前記逃げ面の全て又は一部を研削加工することを特徴とするスローアウェイチップの研削方法。
【発明の詳細な説明】
【技術分野】
【０００１】
本発明は精度が高く且つ量産性に優れたスローアウェイチップ及びその研削方法に関する。
【背景技術】
【０００２】
超硬合金、サーメット、セラミックス等の硬質材料あるいはダイヤモンド焼結体、ｃＢＮ焼結体といった超高圧焼結体からなるスローアウェイチップ（以下、「チップ」という。）の精度を高めるため、該チップの上下面ならびに全ての外周面を研削加工することが従来から行われている。この種のチップを図８及び図９に例示する。これらの図に示すチップ３は、下面７と上面をチャッキング装置２で挟みつけて側面研削を行うチップであり、下面７又は上面の中心部に、縁辺の形状がチップ３の平面視輪郭と相似形で縁辺部から中心部に向かって深さが次第に大となる錘状の姿勢矯正用凹部１２を有し、その姿勢矯正用凹部１２にチャッキング装置２に含まれる芯出しロッド２ａ、２ｂの対応した形状をもつ先端凸部１３をテーパー嵌合させて側面研削時の芯出しと姿勢矯正を行うようにしたことを特徴とするものである（例えば、特許文献１参照）。
【０００３】
【特許文献１】実開昭６１−１７８６０２号公報
【発明の開示】
【発明が解決しようとする課題】
【０００４】
しかしながら、前記の従来チップにおいては、外周面の研削加工に時間がかかり量産性が低い問題があった。特に、ねじ切り加工を行うためのねじ切刃を備えたチップでは、前記ねじ切刃に連なる側面の形状が複雑であり研削加工に要する時間が長くなるため、前記の問題は甚大であった。
【０００５】
本発明は、上述した課題に鑑みなされたものであり、その目的は、高精度と量産性を両立したチップおよびその研削方法を提供することにある。
【課題を解決するための手段】
【０００６】
上記の課題を解決するため、第１の発明は、上面、下面および複数の側面からなり、前記上面と前記側面とが交差する稜辺部のうち少なくとも１つの稜辺部に切刃が形成され、前記切刃から延びる上面にすくい面が形成されるとともに前記切刃から延びる側面に逃げ面が形成され、さらに、少なくとも１つの側面には、前記切刃を所定の位置に位置決めするための取付け基準面が形成されてなるスローアウェイチップにおいて、前記上面及び前記下面の少なくとも一方の表面から陥没する凹部もしくは突出する凸部が形成され、前記凹部の内壁面もしくは前記凸部の外周面には、前記取付け基準面を研削加工する際、前記研削加工の基準となる研削基準面が形成されていることを特徴とするものである。
【０００７】
また、第２の発明は、上面、下面および側面を有し、前記上面と前記側面とが交差する稜辺部のうち少なくとも１つの稜辺部に切刃が形成され、前記切刃から延びる上面にすくい面が形成されるとともに前記切刃から延びる側面に逃げ面が形成され、さらに、少なくとも１つの側面には、前記切刃を所定の位置に位置決めするための取付け基準面が形成されてなるスローアウェイチップの研削方法において、前記スローアウェイチップの上面又は下面の表面から陥没する凹部の内壁面、もしくは突出する凸部の外周面に形成された研削基準面を基準にして、前記取付け基準面を研削加工することを特徴とするものである。
【０００８】
また、第３の発明は、上面、下面および側面を有し、前記上面と前記側面とが交差する稜辺部のうち少なくとも１つの稜辺部に切刃が形成され、前記切刃から延びる上面にすくい面が形成されるとともに前記切刃から延びる側面に逃げ面が形成され、さらに、少なくとも１つの側面には、前記切刃を所定の位置に位置決めするための取付け基準面が形成されてなるスローアウェイチップの研削方法において、前記スローアウェイチップの上面又は下面の表面から陥没する凹部の内壁面、もしくは突出する凸部の外周面に形成された研削基準面を基準にして、前記取付け基準面を研削加工し、研削加工された前記取付け基準面を基準にして、前記逃げ面の全て又は一部を研削加工することを特徴とするものである。
【発明の効果】
【０００９】
第１の発明によれば、チップの上面又は下面の表面から陥没する凹部もしくは突出する凸部が形成され、前記凹部の内壁面もしくは前記凸部の外周面には、取付け基準面を研削加工する際、前記研削加工の基準となる研削基準面が形成されているので、高精度なチップを提供することができる。
【００１０】
第２の発明によれば、チップの上面又は下面の表面から陥没する凹部の内壁面、もしくは突出する凸部の外周面に形成された研削基準面を基準にして、取付け基準面を研削加工することから、高精度なチップの研削方法を提供することができる。しかも、切刃から延びる側面を研削しないので、研削に要する時間が短くなりチップの量産性が高くなる。
【００１１】
第３の発明によれば、チップの上面又は下面の表面から陥没する凹部の内壁面、もしくは突出する凸部の外周面に形成された研削基準面を基準にして、取付け基準面を研削加工し、研削加工された前記取付け基準面を基準にして、逃げ面の全て又は一部を研削加工することから、第２の発明の効果に加えて、切刃の精度をさらに高めることができる。
【００１２】
第１の発明において、前記切刃から延びる側面に形成された逃げ面の全て又は一部がプレス焼成された素材面により構成されている場合には、前記逃げ面の全て又は一部を研削する必要がないので、研削加工に要する時間がいっそう短くなりチップの量産性が大幅に向上する。
【００１３】
さらに、前記凹部又は凸部が鉛直方向に延びる軸心をもつ回転対称形状、多角錐形状又は多角錐台形状又は多角柱形状、もしくは、水平方向に延在するとともに前記延在する方向に直交する断面で台形状、３角形状、矩形状、円弧状又は曲線状をなす凹溝又は突条のなかから選択された少なくとも１つの形状とされ、凹部の内壁面及び凸部の外周面のいずれかが前記研削基準面とされている。これらの形状から選択された凹部の内壁面又は凸部の外周面に形成された研削基準面は、チャッキング装置のクランプロッドの係合部と係合可能となり、その係合によって自動的に取付け基準面の正確な位置決めがなされるので、前記取付け基準面の研削加工精度が向上する。なお、前記の鉛直方向に延びる軸心をもつ回転対称形状とは、円錐形状、円錐台形状、円筒状又は球状等を示している。
【００１４】
さらに、前記切刃がねじ切り加工するためのねじ切刃とされている場合には、複雑な逃げ面を研削する時間が省略されるため、チップの量産性を向上させる効果が顕著となる。
【発明を実施するための最良の形態】
【００１５】
次に、本発明のチップをチェザーに適用した形態について図を参照しながら説明する。図１は実施形態であるチェザーの平面図である。図２は図１に示すチェザーの底面図である。図３は図２におけるＳ１−Ｓ１線断面図及びＳ２−Ｓ２線断面図である。図４及び図５は本実施形態の変形例を示す図であり、図２に相当する図である。図６は図１に示すチェザーをチャッキング装置でチャッキングした状態を示す図であり、図３に相当する図である。図７は図１に示すチェザーを用いて油井管の端部の外周面にねじ山を加工する状態を模式的に示した図である。図１において、チェザー１は略長方形板状をなし、超硬合金、サーメット、セラミックス等のプレス焼成された硬質材料からなり、図１に示すように、略長方形の平坦な上面がすくい面２とされ、上面に平行且つ平坦な下面がダイヘッド１０のチップ座１１に着座する着座面３とされ、前記上面の一対の長辺のうち一方の稜辺部に、油井管に所定のねじ山又はねじ溝を切削加工するための台形状をなす３山のねじ切刃からなる切刃５が形成されたものである。以下の説明では、チェザー１の厚さ方向を鉛直方向、厚さ方向に直角な方向を水平方向とし、略長方形をなす上面の長辺の延びる方向を幅方向、短辺の延びる方向を高さ方向とする。
【００１６】
チェザー１をダイヘッド１０に取付けたとき、切刃５を構成する荒刃５ａ、中仕上げ刃５ｂ、仕上げ刃５ｃは、工具送り方向Ｆの前方側から後方側に向かって順次ねじ山高さが高くなり、各々が高さ方向（ねじ山高さ方向）、幅方向（ねじ山幅方向）の切込みを分担するように、所定のピッチ間隔に並んで形成されている。切刃５に連なる側面に形成された逃げ面４は、前記切刃５から着座面３側に向かうにつれ内側に向かって傾斜する正の逃げ角を付されている。逃げ面４に対向する側面及び工具送り方向Ｆ後方側を向く側面は、それぞれ取付け基準面６ａ、６ｂとされ、互いに直角に交差しており、チェザー１をダイヘッド１０にクランプするとき、切刃５を所定の位置に位置決めするための基準面となる。本実施形態では、平面視でそれぞれ形状の異なる３つのねじ山から切刃５が構成されるため、すくい面と同一平面上にあって前記仕上げ刃５ｃの工具送り方向Ｆ後方側コーナの仮想点を基準点５ｄとしている。
【００１７】
本チェザー１の特徴的な構成は以下のとおりである。本チェザー１のプレス焼成の工程において、着座面３となる下面には、該下面の表面から陥没する第１凹部７Ａと第２凹部７Ｂとが形成される。図２及び図３からわかるように、前記第１凹部７Ａは、鉛直方向に延びる軸心Ｐ１を有し円錐の頂角が２αをなす円錐台形状とされる。前記第２凹部７Ｂは、取付け基準面６ａに平行な中心線ＣＬ１に沿って水平方向に延在する凹溝とされ、その内壁面が前記中心線ＣＬ１に直交する断面で互いのなす角度を２αとされ且つ前記中心線ＣＬ１と交差する鉛直線を基準として左右対称な断面形状をもつような台形状とされる。さらに、第１凹部７Ａの軸心Ｐ１は、第２凹部７Ｂの中心線ＣＬ１の延長線上にあって、両凹部７Ａ、７Ｂは、取付け基準面６ａに平行な関係にある。前記軸心Ｐ１を基準として切刃５の基準点５ｄは、所定の高さ寸法Ｈ１及び所定の幅寸法Ｗ１に設定されている。また、前記軸心Ｐ１を基準として研削加工後の各取付け基準面６ａ、６ｂは、所定の高さ寸法Ｈ２及び所定の幅寸法Ｗ２に設定されている。本チェザー１では、第１凹部７Ａの軸心Ｐ１を通る平面で切断した断面における内周面、及び、第２凹部７Ｂの中心線ＣＬ１に直交する平面で切断した断面における内壁面は、同一断面形状とされ、それぞれ取付け基準面６ａ、６ｂを研削加工する際の基準となる研削基準面７ａ、７ｂとなる。なお、各凹部７Ａ、７Ｂの内周面及び内壁面の断面形状は必ずしも一致させる必要はなく相違していてもよい。また、第２凹部７Ｂの凹溝の台形状をなす断面形状は、左右非対称としてもよいが、後述するクランプロッドの係合部との係合において、求心性が優れる点で左右対称とするのが望ましい。また、それぞれの凹部７Ａ、７Ｂをチェザー１の側面に開口させるか否かについては特に限定されないが、切刃５の強度低下を避けるため、逃げ面４を形成した側面に開口させないことが望ましい。
【００１８】
前記凹部７Ａ、７Ｂの代わりに、チェザー１の下面の表面から突出する凸部が形成され、この凸部の外周面に研削基準面が形成されてもよい（図示せず）。また、凹部７Ａ、７Ｂ又は図示しない凸部の形状は、例えば、鉛直方向に延びる軸心をもつ回転対称形状、多角錐形状又は多角錐台形状又は多角柱形状、もしくは、水平方向に延在するとともに前記延在する方向に直交する断面で台形状、３角形状、矩形状、円弧状又は曲線状をなす凹溝又は突条のなかから選択可能である。
【００１９】
次に、取付け基準面６ａ、６ｂの表面を研削加工する方法について説明する。図６に示すように、チェザー１は、チャッキング装置の対向するクランプロッド２１、２２間で該チェザー１の厚さ方向に挟持されチャッキングされる。ここで、図６の右側にある、チェザー１の下面側のクランプロッド２１の先端には、第１凹部７Ａ及び第２凹部７Ｂにそれぞれ嵌り合い係合してチェザー１を位置決めするとともに上面側に向かって押圧する半球状の第１係合部２１ａ及び第２係合部２１ｂが設けられている。第１凹部７Ａに嵌り合う第１係合部２１ａの半球面は、前記第１凹部７Ａの研削基準面７ａと、軸心Ｐ１を中心とした１つの円周上で全周にわたって線接触することによって、前記第１凹部７Ａを同一軸心上に位置決めする。前記第１係合部２１ａを中心とするチェザー１の回転を阻止するとともに前記回転方向の位置決めをするため、凹溝からなる第２凹部７Ｂに嵌り合う第２係合部２１ｂの半球面は、前記第２凹部７Ｂの研削基準面７ｂと、中心線ＣＬ１を基準として対称な位置にある２点で接触することによって、前記第２凹部７Ｂを同一軸心上に位置決めする。このようにして、チェザー１は、一方の取付け基準面６ａがクランプロッド２１の第１係合部２１ａと第２係合部２１ｂの軸心同士を結んだ直線と平行になるとともに、他方の取付け基準面６ｂが前記直線と直角になるように位置決めされる。なお、凹溝からなる第２凹部７Ｂに嵌り合う第２係合部２１ｂについては、前記凹溝の長手方向に直交する断面で研削基準面７ｂと２ヶ所で接触する円弧状をなし、前記長手方向の所定の長さにわたって前記研削基準面７ｂと係合可能となるように延在させてもよい。
【００２０】
図示しないが、クランプロッドの係合部の形状は、凹部又は凸部の形状に対応して変更することができる。すなわち、クランプロッドの係合部は、凹部の内壁面又は凸部の外周面と面接触、線接触及び点接触のうち少なくとも１つの接触状態で係合するように形成されていればよい。凹部又は凸部が例えば円筒形状、多角柱状のように内壁面又は外周面が鉛直線に平行に形成された場合には、これらの形状に対応した嵌め合い可能な凸部又は凹部がクランプロッドの係合部に形成される。一方、凹部又は凸部が円錐形状、円錐台形状、多角錐形状、多角錐台形状、又は球状、もしくは水平方向に延在するとともに前記延在する方向に直交する断面で台形状、３角形状、矩形状、円弧状又は曲線状をなす凹溝又は突条のように内壁面又は外周面が鉛直線に対して鋭角をなすように傾斜して形成された場合には、本実施形態のように、凹部又は凸部の内壁面又は凸部の外周面に点接触もしくは線接触した状態で係合するように、クランプロッドの係合部が形成される。特に、前記係合部の軸心を中心とした１つの円周上の複数の点、複数の円弧又は全周で前記係合部に前記内壁面又は外周面が係合する場合には、前記係合部の軸心に凹部又は凸部の軸心が求心する作用を生じるため求心性が高くなりチャッキング精度が優れる。
【００２１】
図６の左側にある、チェザー１の上面側のクランプロッド２２の先端には、平坦な押圧面２２ａを備えた押圧部２２Ａが備えられており、前記押圧面２２ａがチェザー１の上面のほぼ中央部分に衝合し着座面３側に押圧する。なお、前記押圧面２２ａは、チェザー１を安定してチャッキングするため、できる限り外側、具体的には、対向するクランプロッド２１の第１係合部２１ａ及び第２係合部２１ｂの位置よりも外側の範囲にわたって形成されてチェザー１の上面に衝合するのが望ましい。
【００２２】
以上に説明したように、チェザー１は、チャッキング装置のクランプロッド２１と係合する凹部７Ａ、７Ｂの研削基準面７ａ、７ｂを基準にして、各取付け基準面６ａ、６ｂのプレス焼成された素材面６ａ'、６ｂ'を、研削砥石を用いて研削加工される。ここで、各取付け基準面６ａ、６ｂは、第１凹部７Ａの軸心Ｐ１から所定の高さ寸法Ｈ２及び所定の幅寸法Ｗ２にそれぞれ寸法出しの研削加工をされることによって、前記切刃５の基準点５ｄは、研削加工された各取付け基準面６ａ、６ｂから所定の高さ寸法Ｈ及び幅寸法Ｗに高精度に寸法出しされる。取付け基準面６ａ、６ｂを基準とした基準点５ｄの寸法精度をさらに高めることに配慮して、研削加工された取付け基準面６ａ、６ｂを基準にして、少なくとも仕上げ刃５ｃに連なる逃げ面４を研削加工することもできる。
【００２３】
逃げ面４を研削しない場合、取付け基準面６ａ、６ｂを基準とした前記基準点５ｄの位置精度を向上させることに配慮して、切刃５の基準点５ｄと第１凹部７Ａ及び第２凹部７Ｂとを近づける、すなわち、高さ寸法Ｈ１及び幅寸法Ｗ１を小さくすることによって両者の相対的な位置精度を向上させることが望ましい。具体的には、第１凹部７Ａの軸心Ｐ１は、チェザー１の中心Ｐよりも前記基準点５ｄ寄りに配され、第２凹部７Ｂの中心線ＣＬ１は、チェザーの中心Ｐを通り前記中心線ＣＬ１と平行な直線よりも前記基準点５ｄ寄りに配されていることが望ましい。
【００２４】
チェザー１の厚さ方向の寸法精度を高めることに配慮して、すくい面２及び着座面３の表面の少なくとも一方が研削加工されることが望ましい。しかしながら、高さ寸法及び幅寸法ほど精度への影響が大きくないため、前記の研削加工が省略されてもよい。
【００２５】
既述のチェザー１は、図７に示すように、その着座面３がダイヘッド１０のチップ座１１の底面に当接して着座するとともに、取付け基準面６ａ、６ｂがそれぞれ対応する前記チップ座１１の拘束壁面１１ａ、１１ｂに衝合した状態で、一方の押さえ金１２Ａがチェザー１の上面をチップ座１１の底面に向かって押圧するとともに、他方の押さえ金１２Ｂがチェザー１の側面を対向する側面が衝合するチップ座１１の拘束壁面１１ｂに向かって押圧することにより、前記チップ座１１にクランプされる。チェザー１は、前記取付け基準面６ａ、６ｂを基準にしてチップ座１１に位置決めされるので、ダイヘッド１０にクランプされたとき、切刃５の基準点５ｄが高精度に位置決めされる。なお、チェザー１をチップ座１１に着座させたとき、第１凹部７Ａ及び第２凹部７Ｂは、チップ座１１の底面に当接しないので、一般的なチップと同様にチップ座１１の底面は平坦面で構成してあればよい。図示しないが、下面から突出する凸部を設けたチェザーをチップ座の底面に着座させる場合には、前記下面を着座面として前記底面に衝合するため前記凸部を遊挿可能な凹所が設けられる。あるいは、前記凸部をチェザーの下面の周縁部に近接する程度に広範囲にわたって設けるか、もしくは下面の周縁部に近接した少なくとも３箇所に設けることによって、着座面として機能できるようにした場合には、前記凸部の鉛直下方を向く端面を着座面とすることも可能である。
【００２６】
図７の（ａ）は、ダイヘッド１０を固定した油井管回転式の加工形態を示している。すなわち、ダイヘッド１０は、軸心まわりに回転する油井管３０に対して１回転当り１ピッチの相対的な送りが与えられ、前記油井管３０の端部の外周面３１にねじ山を切削していく。一方、図７の（ｂ）は、固定した油井管３０を固定した油井管固定式の加工形態を示している。すなわち、ダイヘッド（図示しない）には、該ダイヘッドの内周面から切刃５を内側に突出させるとともに前記内周面の円周方向に沿って間隔をあけて、３つのチェザー１Ａ、１Ｂ、１Ｃが配設されている。油井管３０の軸心と同心に配されたダイヘッドは、その軸心まわりに回転しながら前記油井管３０に対して１回転当たり１ピッチの相対的な送りを与えられることによって、前記油井管３０の端部の外周面３１にねじ山を切削していく。個々のチェザー１Ａ、１Ｂ、１Ｃの切刃５の形状を同一とするかもしくは相違させるかについては、適宜選択可能である。またチェザー１の個数は１つ又は複数のいずれでも構わない。上述した、いずれの加工形態においても、ダイヘッド１０と油井管３０との間に、相対的な回転運動と送り運動が与えられることによってねじ山の加工が行われる。どちらの加工形態を選択するかは任意である。
【００２７】
本実施形態のチェザー１によれば、研削基準面７ａ、７ｂを基準にして取付け基準面６ａ、６ｂの表面を研削加工されるので、これら取付け基準面６ａ、６ｂから切刃５の基準点５ｄまでの高さ寸法及び幅寸法の精度が高められることから、チェザー１をダイヘッド１０にクランプしたときに切刃５の位置決め精度が向上する。切刃５を高精度に研削加工する必要がないので、研削加工に要する時間を短縮することができ、チップ１の量産性が向上する。特に、本実施形態のチェザーのように、ねじ切刃５を有するものにおいては、プロファイルグラインダーもしくは総型研削砥石を用いた逃げ面４の研削加工が省略されるため、きわめて量産性が高くなるうえに加工コストが低減する。
【００２８】
研削加工された取付け基準面６ａ、６ｂを基準にして、油井管のねじ山の精度に影響を及ぼす仕上げ刃５ｃの逃げ面４を研削することによって、チェザー１の寸法精度ならびにダイヘッド１０における切刃５の位置決め精度がいっそう向上する。しかも、取付け基準面６ａ、６ｂならびに逃げ面４の研削加工において除去される研削代のばらつきが小さくなるので、研削加工時の研削抵抗の均一化による加工精度の向上とともに、研削加工に要する時間やコスト低減、さらにはプレス焼成素材の小型化による経済性の向上が実現される。
【００２９】
各凹部７Ａ、７Ｂの形態の組み合わせは、既述したものに限らず、図４の（ａ）に示す、２つの円錐台形状を組み合わせたもの、又は、図４の（ｂ）に示す、２つの４角穴を組み合わせたもの、あるいは、図５の（ａ）及び（ｂ）に示すように、十字形又はＴ字形をなすように互いに直交する２つの凹溝を組み合わせたものとしてもよい。また、図示しないが、凹部７Ａ、７Ｂはすくい面が形成される上面のみに設けられてもよい。これらの変形例においても先の実施形態で説明した研削基準面と同一作用が得られる。
【００３０】
切刃５の形状についても、本実施形態で説明したねじ切刃にかかわらず、様々な工作物に所定のあるいは適当な加工を行うために種々の形状を呈した切刃に適用可能であり、その他の構成についても、本発明の要旨を逸脱しない範囲内で構成の変更及び追加が可能であることは言うまでもない。
【図面の簡単な説明】
【００３１】
【図１】実施形態であるチェザーの平面図である。
【図２】図１に示すチェザーの底面図である。
【図３】図２におけるＳ１−Ｓ１線断面図及びＳ２−Ｓ２線断面図である。
【図４】（ａ）及び（ｂ）は本実施形態の変形例を示す図であり、図２に相当する図である。
【図５】（ａ）及び（ｂ）は本実施形態の変形例を示す図であり、図２に相当する図である。
【図６】図１に示すチェザーをチャッキング装置でチャッキングした状態を示す図であり、図３に相当する図である。
【図７】図１に示すチェザーを用いて油井管の端部の外周面にねじ山を加工する状態を模式的に示した図である。
【図８】従来チップを示す底面側斜視図である。
【図９】研削機のチャッキング装置によるチャッキング状態の側面図である。
【符号の説明】
【００３２】
１  チェザー（チップ）
２  すくい面
３  着座面
４  逃げ面
５  切刃
６ａ、６ｂ  取付け基準面
６ａ'、６ｂ'  取付け基準面（プレス焼成された素材面）
７Ａ  第１凹部（凹部）
７Ｂ  第２凹部（凹部）
７ａ、７ｂ  研削基準面
１０  ダイヘッド
１１  チップ座
１１ａ、１１ｂ  チップ座の拘束壁面
２１、２２  クランプロッド
２１ａ、２１ｂ  クランプロッドの係合部
【図１】
2007130719.tif 000003
【図２】
2007130719.tif 000004
【図３】
2007130719.tif 000005
【図４】
2007130719.tif 000006
【図５】
2007130719.tif 000007
【図６】
2007130719.tif 000008
【図７】
2007130719.tif 000009
【図８】
2007130719.tif 000010
【図９】
2007130719.tif 000011